(57)【要約】      （修正有）【課題】布団としての見栄えを損なうことなく、かつ、コンパクトに折畳むことでクッション等として使用可能な布団を提供する。【解決手段】折畳み可能な布団において、布団の中央部に、布団を収納するための２枚の方形の布体１１ａ，１１ｂを備える。２枚の布体は、互いに重ね合わされた状態で、１組の対辺が布団に縫いつけられており、各布体の布団に縫い付けられていない辺の内、互いに対向する辺と辺との間に開口部１１３が形成され、布体の各辺に沿ってコタツ布団を折畳みながら、開口部を使用して両布体を反転させて、布団を布体の間に収納するように構成される。【選択図】図１
0003169662.tif 000002
【実用新案登録請求の範囲】
【請求項１】
折畳み可能な布団において、
前記布団の中央部に、前記布団を収納するための２枚の方形の布体を備え、
前記２枚の布体は、互いに重ね合わされた状態で、１組の対辺が前記布団に縫いつけられており、
前記各布体の前記布団に縫い付けられていない辺の内、互いに対向する辺と辺との間に開口部が形成され、
前記布体の各辺に沿って前記コタツ布団を折畳みながら、前記開口部を使用して前記両布体を反転させて、前記布団を前記布体の間に収納するように構成された布団。
【請求項２】
前記開口部を封止するための紐が前記各布体に取り付けられている請求項１に記載の布団。
【請求項３】
前記布団は、コタツに使用されるコタツ布団である請求項１又は２に記載の布団。
【考案の詳細な説明】
【技術分野】
【０００１】
本考案は、布団、特にコタツ布団に関するものである。
【背景技術】
【０００２】
例えば、コタツ布団は、冬季の寒い時期に、熱源を備えたコタツのやぐらに掛けて暖をとるために使用されるが、寒い時期以外には、折畳まれて押入れ等に収納されるのが一般的である。このように、コタツ布団は、寒い時期以外には使用されないため、使用期間よりも収納期間の方が長くなり無駄が多くなっていた。また、コタツ布団は折畳むと嵩張るため、収納場所を確保することが困難であるという問題が生じていた。
【０００３】
上記問題を解決するために、特許文献１及び２では、コタツ布団の不使用時に、コタツ布団をコンパクトに折畳んで、座布団又はクッションとして使用することができるコタツ布団が提案されている。
【先行技術文献】
【特許文献】
【０００４】
【特許文献１】実開昭５５−９０３８０号公報
【特許文献１】実開昭６１−６６５６３号公報
【考案の概要】
【考案が解決しようとする課題】
【０００５】
特許文献１に開示されているコタツ布団は、コタツ布団に１枚の布体を縫い付け、その布体とコタツ布団との間に形成されるポケットにコタツ布団を収納している。しかしながら、上記構成では、コタツ布団を収納してクッション等として使用する際に、必ずコタツ布団の生地の一部がクッションの一面になるため、その部分のみが先に傷む、又は、汚れる等の問題が生じていた。
【０００６】
上記問題を解決するために特許文献２では、コタツ布団に２枚の布体を縫い付け、その２枚の布体の間にコタツ布団を収納する構成のコタツ布団が提案されている。しかしながら、特許文献２に開示されているコタツ布団では、方形の２枚の布体をコタツ布団に縫い付けているが、２枚の布体の内、コタツ布団側の布体は、４辺全てがコタツ布団に縫い付けられ、他方の布体は、隣接する２辺が縫い付けられる構成であるため、布体の取り付け作業が煩雑になるという問題が生じていた。また、２辺のみが縫い付けられた他方の布体は、コタツ布団に縫い付けられていない１つの角が、ホック、スナップ、ボタン等を使用してコタツ布団に留められている。そのため、布体をコタツ布団の中央部に縫い付けると、コタツの天板とやぐらの上枠との間にホック等が挟まり、天板が浮き上がって安定しないという問題が生じていた。一方で、布体をコタツ布団の中央部以外の場所に縫い付けると、外部から見えて見栄えが悪くなるという問題が生じていた。
【０００７】
本考案は、上記課題を解決するためになされたものであり、布団としての見栄えを損なうことなく、かつ、コンパクトに折畳むことでクッション等として使用可能な布団を提供する。
【課題を解決するための手段】
【０００８】
本考案は、折畳み可能な布団において、前記布団の中央部に、前記布団を収納するための２枚の方形の布体を備え、前記２枚の布体は、互いに重ね合わされた状態で、１組の対辺が前記布団に縫いつけられており、前記各布体の前記布団に縫い付けられていない辺の内、互いに対向する辺と辺との間に開口部が形成され、前記布体の各辺に沿って前記コタツ布団を折畳みながら、前記開口部を使用して前記両布体を反転させて、前記布団を前記布体の間に収納するように構成される。
【０００９】
また、上記布団において、開口部を封止するための紐が前記各布体に取り付けられてもよい。
【００１０】
さらに、上記布団は、コタツに使用されるコタツ布団であってもよい。
【００１１】
本考案に係る布団によれば、布団としての見栄えを損なうことなく、かつ、コンパクトに折畳むことでクッション等として使用することができる。
【図面の簡単な説明】
【００１２】
【図１】本考案のコタツ布団の一実施形態を示す斜視図である。
【図２】図１のコタツ布団を三つ折に折畳んだ状態を示す斜視図である。
【図３】図１のコタツ布団を収納部に通した状態を示す斜視図である。
【図４】図１のコタツ布団を収納部に収納した状態を示す斜視図である。
【図５】図１のコタツ布団をクッションとした時の状態を示す斜視図である。
【考案を実施するための形態】
【００１３】
以下、本考案の布団の一実施形態について、添付図面を参照して説明する。
【００１４】
まず、図１は、本考案の一実施形態の布団の外観を示している。本実施形態の布団は、コタツに用いられるコタツ布団１であり、一般に市販されている種々の方形のコタツ布団１に、これを収納するための収納部１０が取り付けられている。
【００１５】
収納部１０は、２枚の略同じ大きさの方形の布体１１ａ，１１ｂからなり、コタツ布団１の使用時に天板が載せられる中央位置に取り付けられている。なお、以下の説明では、コタツ布団１の直上に位置する布体１１ａを第１の布体１１ａといい、もう一方の布体１１ｂを第２の布体１１ｂという。各布体１１ａ，１１ｂは、天板に覆われる大きさで、かつ、コタツ布団１を収納可能な大きさに形成されている。このように、各布体１１ａ，１１ｂが、天板に覆われる大きさであり、かつ、コタツ布団１の中央位置に取り付けられることにより、コタツ布団１として使用する時には、収納部１０が天板に覆われて外部から見えないため、コタツ布団１の見栄えが損なわれることがない。この布体１１ａ，１１ｂとしては、各種の布地が使用可能であるが、十分な伸縮性を有するメリヤス地の布地が好ましい。これにより、コタツ布団１の収納が容易になる。また、２枚の布体１１ａ，１１ｂの互いに対向する面は、後述するように、コタツ布団１を折畳んでクッションとした時に、クッションの表地となるため、任意の模様を付しておくことで、任意のデザインのクッションとして使用することが可能となる。
【００１６】
各布体１１ａ，１１ｂは、互いに重ね合わされ、各辺がコタツ布団１の各辺と平行になるようにコタツ布団１の中央位置に配置されている。各布体１１ａ，１１ｂの１組の対辺１１１のみがコタツ布団１に縫い付けられることにより、各布体１１ａ，１１ｂは筒状をなしており、コタツ布団１に縫い付けられていない第１の布体１１ａの辺１１２及び第２の布体１１ｂの辺１１２の内、互いに対向する２つの辺１１２の間には、開口部１１３が形成されている。このように、２枚の布体１１ａ，１１ｂを重ねて、１組の対辺１１１のみをコタツ布団１に縫い付けているため、収納部１０の取り付け作業は容易である。また、各布体１１ａ，１１ｂの１組の対辺１１１がコタツ布団１に縫い付けられているため、残り１組の２辺１１２がコタツ布団１に縫い付けられていなくても、各布体１１ａ，１１ｂがコタツ布団１から浮き上がることはなく、その部分にホック等を取り付ける必要もない。
【００１７】
各布体１１ａ，１１ｂのコタツ布団１に縫い付けられていない側の２つの辺（以下、「自由辺」という。）１１２には、それぞれ紐１２が取り付けられている。この紐１２は、後述するように、コタツ布団１を開口部１１３から各布体１１ａ，１１ｂの間に収納した後、開口部１１３を封止するためのものであり、２枚の布体１１ａ，１１ｂの互いに対向する位置に、少なくとも１本ずつ取り付けられている。開口部１１３を確実に封止するためには、各自由辺１１２の両端付近に１本ずつ、各自由辺１１２に２本ずつ取り付けられるのが好ましい。このように、コタツ布団１の収納時の開口部１１３の封止手段として紐１２を使用することで、例えば、封止手段にファスナー、ボタン等を使用した場合と比べて厚みが薄くなり、コタツ布団１の使用時に、コタツの天板の下に収納部１０を設けたとしても、天板の浮き上がりを防止することができる。
【００１８】
次に、図２〜図５も参照して、上記のように収納部１０として２枚の布体１１ａ，１１ｂが取り付けられたコタツ布団１の収納手順について説明する。
【００１９】
まず、図１の矢印Ａに示すように、各布体１１ａ，１１ｂのコタツ布団１に縫い付けられている辺１１１に沿って、幅が各布体１１ａ，１１ｂの幅と略一致するように、コタツ布団１を三つ折に折り重ねる。これにより、図２に示すように、コタツ布団１が折畳まれる。
【００２０】
次に、図２の矢印Ｂに示すように、２枚の布体１１ａ，１１ｂの間の開口部１１３を使用して、開口部１１３にコタツ布団１を通しつつ、第２の布体１１ｂを反転させていく。これにより、図３に示すように、コタツ布団１の中央部１ｂが収納部１０内に収納され、コタツ布団１の両端部１ａ，１ｃが収納部１０からはみ出た状態になる。
【００２１】
続いて、図３の矢印Ｃ及び矢印Ｄに示すように、コタツ布団１の両端部１ａ，１ｃを収納部１０に収納する。具体的には、コタツ布団１の一方の一端部１ｃを、矢印Ｃに示すように、自由辺１１２に沿って上側に折り曲げて、第１の布体１１ａとコタツ布団１の中央部１１ｂとの間に挿入する。そして、裏返した後、コタツ布団１の他方の他端部１ａを、矢印Ｄに示すように、自由辺１１２に沿ってコタツ布団１の一端部１ｃとは逆側に折り曲げて、第２の布体１１ｂとコタツ布団１の中央部１１ｂとの間に挿入する。これにより、図４に示すように、コタツ布団１がコンパクトに折畳まれて収納部１０内に収納された状態となる。最後に、紐１２を結ぶと、図５に示すように、クッション２となる。
【００２２】
このように、コタツ布団１を三つ折にした段階で第２の布体１１ｂを反転させることにより、コタツ布団１を収納部１０の大きさまで折畳んでから第２の布体１１ｂを反転させる場合と比較して、第１の布体１１ａと第２の布体１１ｂとの間を通すコタツ布団１の厚みが薄くなるため、第２の布体１１ｂを反転させやすくなる。また、本考案の手順でコタツ布団１を収納することにより、厚手のコタツ布団１であっても収納可能となる。そして、コタツ布団１を折畳んで収納部１０に収納し、クッション２としても使用可能にすることで、コタツ布団１を年中使用することができる。このとき、第１の布体１１ａと第２の布体１１ｂの自由辺１１２が互いに接する状態で紐１２を結ぶこともでき、この場合には、コタツ布団１を外部に露出することなく収納部１０内に収納することができる。
【００２３】
以上のように、本実施形態によれば、コタツの天板に覆われる中央位置に、天板の大きさと略一致する大きさの収納部１０をコタツ布団１に取り付けるため、コタツ布団１の見栄えを損なうことがない。また、２枚重ねた布体１１ａ，１１ｂを一度にコタツ布団１に縫い付けるため、収納部１０の取り付け作業が容易にできる。そして、このように収納したコタツ布団１をクッション等として使用することにより、コタツ布団１を年中使用することができ、コタツ布団１の不使用時の収納場所に悩むこともなくなる。
【００２４】
以上、本考案の一実施形態について説明したが、本考案は、この実施形態に限定されるものではなく、その趣旨を逸脱しない限りにおいて、種々の変更が可能である。
【符号の説明】
【００２５】
１      コタツ布団
１１ａ  第１の布体
１１ｂ  第２の布体
１１１  辺
１１２  辺（自由辺）
１１３  開口部
１２    紐
【図１】
0003169662.tif 000003
【図２】
0003169662.tif 000004
【図３】
0003169662.tif 000005
【図４】
0003169662.tif 000006
【図５】
0003169662.tif 000007